(57)【要約】      （修正有）【課題】簡単な部材の変更により満巻軸に巻かれているウエブの張力を安定させるターレット巻取機の切断装置を提供する。【解決手段】切断アーム１８の中間に回転支点を有し、基端側に切断装置用エアーシリンダー２０を具備する一方、先端側にダンサーローラ用アーム１５を連結してその先端に新巻軸と満巻軸の間に装入するダンサーローラ１２を支着してなる。切断装置アームの中間に突出杆１６を突出させて、その先端にダンサーローラ用エアーシリンダー１７を支着し、そのロッドにダンサーローラ用アームの基端側を支着してエアーシリンダーの摺動をダンサーローラ用アームを介してダンサーローラに連携せしめて、該ローラの変位を検出し、満巻軸の回転を速度制御せしめるようにした。【選択図】図２
0003171031.tif 000002
【実用新案登録請求の範囲】
【請求項１】
連続して流れているウエブを停止することなくターレット巻取機に装着した巻軸に巻き取り、満巻に達したとき、満巻軸から新巻軸へターレットを旋回し、新巻軸と満巻軸との間で切断刃によりウエブを切断するターレット巻取機の切断装置であって、該切断装置は、切断装置アームの中間に回転支点を有し、基端側に切断装置用のエアーシリンダーを具備する一方、先端側にダンサーローラ用アームを回動可能に連結してその先端に新巻軸と満巻軸の間に装入するダンサーローラを支着してなると共に、前記切断装置アームの中間に突出杆を突出させて、その先端にダンサーローラ用エアーシリンダーを支着し、そのロッドに前記ダンサーローラ用アームの基端側を支着してエアーシリンダーの摺動をダンサーローラ用アームを介して先端のダンサーローラに連携せしめて該ローラで両巻軸間の通過長さを吸収すると共に、満巻軸の巻取張力を与えて該ローラの変位を検出し、満巻軸の回転を速度制御せしめる如く構成してなると共に、更に切断装置アームの中間に切断アームを中間支点により回動可能に支着してその基端側に切断用シリンダーを設け、先端側に切断刃を設けて切断用シリンダーの作動により切断アームを回動させ、先端の切断刃を回動させてウエブ切断を行い得るように構成してなることを特徴とするターレット巻取機の切断装置。
【考案の詳細な説明】
【技術分野】
【０００１】
本考案はターレット巻取機において、満巻軸と新巻軸をターレット旋回し切断装置を進入して巻き替える際、満巻軸の回転を速度制御し、満巻軸に巻かれているウエブの張力を安定させるための切断装置に関するものである。
【背景技術】
【０００２】
連続して流れているウエブを停止することなく２軸又は多軸の巻取軸を有するターレット巻取機で巻き取り、巻き取りが満巻に達したとき、新巻軸と巻き替えることは従来より広く行われている。（特許文献１参照）
図３（イ）は従来の一般的なターレット巻取機の概要を示しており、ターレット盤１の一方に巻取軸２、他方に新巻軸３を配して引取りローラ４を介して流れてくるウエブＷをダンサーローラ５、タッチローラ６を介して巻取軸２に巻き取り、満巻に達した時、図３（ロ）に示す如くターレット盤１を旋回し、満巻軸２と、新巻軸３の位置を入れ替えて満巻軸２と新巻軸３の間で切断装置７を回動して切断刃８により切断し、新巻軸３に巻き付けるようになっている。ところがこのターレット巻取機における満巻軸から新巻軸に巻き替える一連の動作の中でウエブの張力が変化し、ウエブの巻取品質を悪くすることが多い。
【０００３】
勿論、ウエブの品質が一般包装用であれば巻替え時における上記張力変動も余り問題とならないが、昨今の工業用ウエブ、光学用ウエブ等、高機能ウエブでは巻替時の一部のウエブでも品質を維持することが求められる。
【０００４】
前記ターレット巻取機におけるウエブの巻取りでは通常、図３に示す如く巻取り前にダンサーローラ５を介して該ローラにより張力を与え、ダンサーローラ５の位置の変位により巻軸の速度を制御している。このためウエブＷには常にダンサーローラ５による張力があるため巻取軸の巻径変化に関係なく巻取軸の回転数の変化に対応している。
【０００５】
しかし、満巻にしてターレット旋回により満巻軸から新巻軸に巻き替える場合、ターレット旋回までは前記巻き取り前のダンサーローラ張力と満巻軸の速度制御で対応するが、ターレット旋回後、ウエブを切断するとき、新巻軸３と満巻軸２の間に図４に示す如く切断するためのガイドローラ９を進入させ、新巻軸３にウエブＷを巻き付けて新巻軸近くで切断刃８で切断することになり、ガイドローラ９の進入が新巻軸３と満巻軸２の間のウエブＷヲ押し付けるため、両巻軸２，３間のウエブＷの長さが変化し、満巻軸２の回転数が変わり、ウエブの張力も変動して安定した張力が出なくなる。
【０００６】
そこで、従来においては、巻き替えのためのターレット旋回開始から切断終了までの間、満巻軸２を速度制御から張力制御に変えウエブの長さの変化に対応していたが、現在ではより精度の高い張力にするため、切断時も速度制御が必要になってきた。
【先行技術文献】
【特許文献】
【０００７】
【特許文献１】特開平１１−１７１３７７号公報
【考案の概要】
【考案が解決しようとする課題】
【０００８】
本考案は上述の如き実状に対処し、特に従来における前記切断のためのガイドローラをダンサーローラに変更することを見出し、これを取り入れ、該ダンサーローラの変位を検出して満巻軸の回転を速度制御することにより、満巻軸に巻かれているウエブの張力を安定させる切断装置を提供することを目的とするものである。
【課題を解決するための手段】
【０００９】
即ち、上記目的に適合する本考案切断装置は、連続して流れているウエブを停止することなくターレット巻取機に装着した巻軸に巻き取り、満巻に達したとき、満巻軸から新巻軸へターレットを旋回し、新巻軸と満巻軸との間で切断刃によりウエブを切断するターレット巻取機の切断装置であって、該切断装置は切断装置アームの中間に回転支点を有し、基端側に切断装置用のエアーシリンダーを具備する一方、先端側にダンサーローラ用アームを回動可能に連結してその先端に新巻軸と満巻軸の間に装入するダンサーローラを支着してなると共に、前記切断装置アームの中間に突出杆を突出させて、その先端にダンサーローラ用エアーシリンダーを支着し、そのロッドに前記ダンサーローラ用アームの基端側を支着してエアーシリンダーの摺動をダンサーローラ用アームを介してダンサーローラに連携せしめて、該ローラで両巻軸間のウエブの通過長さを吸収すると共に、満巻軸の巻取張力を与えて該ローラの変位を検出し、満巻軸の回転を速度制御せしめる如くなすと共に、切断装置アームの中間に切断アームを中間支点により回動可能に支着して該アーム基端側に切断用エアーシリンダーを設け、先端側に切断刃を設けて切断用シリンダーの作動により切断アームを回動させ、先端の切断刃を回動させてウエブ切断を行い得るように構成してなることを特徴とする。
【考案の効果】
【００１０】
本考案は上記の如く従来の切断用ガイドローラをダンサーローラに変更し、該ダンサーローラをエアーシリンダーの摺動に連携せしめて該ローラで両巻軸間のウエブの通過長さを吸収すると共に、該ダンサーローラで満巻軸の巻取張力を与えて該ローラの変位を検出して満巻軸の回転を速度制御せしめるようにしたことにより、従来の満巻軸の回転数が変わり、ウエブの張力も変動して安定した張力が得られなかった欠陥を克服し、満巻軸に巻かれているウエブの張力を安定化させ、ウエブの巻取品質を向上せしめる効果を有する。
【図面の簡単な説明】
【００１１】
【図１】本発明のおけるタッチローラ巻取機の１態様を示す概要図である。
【図２】上記巻取機の要部をなすダンサーローラを含む切断装置の１例を示す詳細図である。
【図３】従来のタッチローラ巻取機を示す概要図であり、（イ）はターレット旋回前、（ロ）はターレット旋回後を示す。
【図４】従来のターレット巻取機における切断装置の作動説明図で、（イ）は切断装置回動図、（ロ）は切断刃作動時を示す。
【考案を実施するための形態】
【００１２】
以下、添付図面に基づいて本考案の具体的実施形態を説明する。図１は本考案切断装置をもつ巻取機の１例を示す概要図、図２はその要部の１例を示す詳細図である。図示のように本考案ターレット巻取機は、流れてくるウエブＷを引取りローラ４，ダンサーローラ５を介し、タッチローラ６を巻取軸２に圧接せしめて巻き取り、ターレット旋回により満巻軸２と新巻軸３を入れ替え、巻き替えを行って満巻軸と新巻軸の間で切断装置によりウエブを切断する基本構成においては従来におけるターレット巻取機と同様であるが、本考案にあっては特に上記ターレット巻取機におけるウエブの切断に改良が加えられ、従来の切断が図３（イ）に示すように、切断装置７のアーム中間に切断刃８を設け、先端にガイドローラ９を設けて回動支点ａ′を支点とするアームの回動によりガイドローラ９を新巻軸３と満巻軸２の間に進入させ、新巻軸３にウエブを巻き付けて新巻軸３近くで切断を行っていたのに対し、ガイドローラ９をダンサーローラ１２に変更して該ダンサーローラ１２を切断装置１１のアーム１３の先端に設け、回動可能として新巻軸と満巻軸の間のウエブのパス長さの変化を吸収すると共に、該ローラで満巻軸の巻取張力を与えて該ダンサーローラの変位を検出し、満巻軸２の回転速度制御を図り得るように構成されている。
【００１３】
図２はかかるダンサーローラ１２を備えた本考案切断装置１１の具体的構成を示す。図２において切断装置１１は切断アーム１３の中間に回転支点ａを設け、基端側に切断装置用のエアーシリンダー１４を設けている。そして、前記切断装置アーム１３の先端側にはダンサーローラ用アーム１５が連結され、その先端に前記ダンサーローラ１２が装着されていると共に、切断装置アーム１３の中間に突出させた突出杆１６先端にダンサーローラ用エアーシリンダー１７が設けられ、そのロッドに前記ダンサーローラ用アーム５が支着され、エアーシリンダー１７の摺動をダンサーローラ用アーム１５を介してダンサーローラ１２と連携せしめている。
【００１４】
また、上記切断装置アーム１３の中間には更に切断アーム１８が中間支点により回動可能に支着されて該アーム１８の先端に切断刃１９が設けられ、切断アーム１８の基端を切断用エアーシリンダー２０に連携して切断用エアーシリンダー２０の作動により切断アーム１８を回動させると共に先端の切断刃１９を回動させてウエブ切断を行い得るようになっている。
【００１５】
かくして、上記の構成から、連続して流れてくるウエブを従来同様、タッチローラの圧接下で巻軸に巻き取り、満巻後、ターレットを旋回させて満巻軸と新巻軸の間で連続するウエブＷを切断するにあたり、切断装置１１のアーム１３が切断装置用エアーシリンダー１４の作動により支点ａを中心として回動し、切断アーム１８，切断刃１９を回動させると共に、ダンサーローラ用アーム１５を回動させて先端のダンサーローラ１２をウエブに対し進入させ、ダンサーローラ１２でウエブのパス長さの変化を吸収しつつ満巻軸の巻取張力を与えて満巻軸の回転速度制御を図って切断用エアーシリンダー２０の作動により切断アーム１８、切断刃１９を回動させてウエブ切断が行われる。
【００１６】
なお、上記においてダンサーローラと切断刃は各別に設けられているが、ダンサーローラによる両巻軸間のウエブの押し付けと、切断刃によるウエブの切断は適確な制御の下に進められることは云うまでもない。
以上のように、本考案ガイドローラをダンサーローラに変更し、ダンサーローラでウエブのパス長さの変化を吸収しつつ満巻軸の巻取張力を与えてダンサーローラの変位を検出し、満巻軸の回転を速度制御することにより満巻軸に巻かれているウエブの張力安定を従来以上に達成し、巻取品質を維持させることができ、昨今の工業用ウエブ，光学用ウエブ等、高機能ウエブのに対しても、その品質確保を図ることができる。
【符号の説明】
【００１７】
１：ターレット盤
２：満巻軸
３：新巻軸
４：引取りローラ
５：ダンサーローラ
６：タッチローラ
１１：切断装置
１２：ダンサーローラ
１３：切断装置アーム
１４：切断装置用エアーシリンダー
１５：ダンサーローラ用アーム
１６：突出杆
１７：ダンサーローラ用エアーシリンダー
１８：切断アーム
１９：切断刃
２０： 切断用エアーシリンダー
ａ，ａ′：支点
【図１】
0003171031.tif 000003
【図２】
0003171031.tif 000004
【図３】
0003171031.tif 000005
【図４】
0003171031.tif 000006